(57)【要約】【課題】  ユニット建物の構造強度を損なうことなく、広い吹抜け面積を形成すること。【解決手段】  上階建物ユニット２０Ａの床パネル３０に吹抜け部３０Ａを形成してなる木質系ユニット建物１において、床パネル３０の互いに交差する枠材３１Ａ〜３１Ｄにより吹抜け部３０Ａを区画し、それらの枠材３１Ａ〜３１Ｄの少なくとも１つを耐風梁４０とし、耐風梁４０の端部と他の枠材３１Ａ、３１Ｂとを金物５０により接合したもの。【選択図】  図２
2006089998.tif 000002
【特許請求の範囲】
【請求項１】
上階建物ユニットの床パネルに吹抜け部を形成してなる木質系ユニット建物において、
床パネルの互いに交差する枠材により吹抜け部を区画し、それらの枠材の少なくとも１
つを耐風梁とし、耐風梁の端部と他の枠材とを金物により接合したことを特徴とする木質
系ユニット建物。
【請求項２】
前記金物が、耐風梁の端部を含む他の枠材との隅角部に設けられ、直角三角形状をなす
請求項１に記載の木質系ユニット建物。
【発明の詳細な説明】
【技術分野】
【０００１】
本発明は吹抜けを有する木質系ユニット建物に関する。
【背景技術】
【０００２】
従来、吹抜けを有する木質系ユニット建物として、特許文献１に記載の如く、床パネル
の輪郭内に吹抜け部を形成してなるものがある。この木質系ユニット建物では、上階建物
ユニットの強度、剛性を向上し、ユニット建物の構造強度を強化するため、床パネルの吹
抜け部を囲む側縁部に、吹抜け部の側に張り出る広巾張出し部を設けた。
【特許文献１】特公平4-65177号公報
【発明の開示】
【発明が解決しようとする課題】
【０００３】
特許文献１の木質系ユニット建物では、床パネルの輪郭内における、広巾張出し部の占
有面積が大きく、吹抜け面積を大きく取れないし、吹抜け内に設ける階段の配置に制約を
生ずる。
【０００４】
尚、床パネルの吹抜け部を囲む隅角部に火打材を設けて上階建物ユニットの強度、剛性
を向上しようとする場合にも、床パネルの輪郭内における火打材の占有面積が大きく、同
様の不都合を生ずる。
【０００５】
本発明の課題は、ユニット建物の構造強度を損なうことなく、広い吹抜け面積を形成す
ることにある。
【課題を解決するための手段】
【０００６】
請求項１の発明は、上階建物ユニットの床パネルに吹抜け部を形成してなる木質系ユニ
ット建物において、床パネルの互いに交差する枠材により吹抜け部を区画し、それらの枠
材の少なくとも１つを耐風梁とし、耐風梁の端部と他の枠材とを金物により接合したもの
である。
【０００７】
請求項２の発明は、請求項１の発明において更に、前記金物が、耐風梁の端部を含む他
の枠材との隅角部に設けられ、直角三角形状をなすようにしたものである。
【発明の効果】
【０００８】
（請求項１）
(a)床パネルの吹抜け部を区画する少なくとも１つの枠材として、風圧力に対し曲げ破
壊しない断面を有する耐風梁を用い、この耐風梁を他の枠材と金物により接合することに
より、上階建物ユニットの強度、剛性を向上し、ユニット建物の構造強度を強化できる。
【０００９】
(b)床パネルの吹抜け部を構成する少なくとも１つの枠材を耐風梁とするものであり、
床パネルの輪郭内における耐風梁の占有面積は小さく、広い吹抜け面積を確保できる。
【００１０】
（請求項２）
(c)床パネルにおいて、耐風梁の端部を含む他の枠材との隅角部に、直角三角形状の金
物を設けるものであり、吹抜け部の隅角部の変形を防止し、吹抜けに設けられる内装材の
クロス切れ等を防止できる。
【発明を実施するための最良の形態】
【００１１】
図１は実施例１の木質系ユニット建物を示すレイアウト図、図２は図１の吹抜けを構成
する床パネルを示す平面図、図３は図２の床パネルの隅角部を示し、（Ａ）は平面図、（
Ｂ）は側面図、図４は金物を示す斜視図、図５は実施例２の木質系ユニット建物を示すレ
イアウト図、図６は図５の吹抜けを形成する床パネルを示す平面図である。
【実施例】
【００１２】
（実施例１）（図１〜図４）
図１に模式的に示した木質系ユニット建物１は、２階建ての住宅に係り、２行３列をな
す６個の下階建物ユニット１０（不図示）の上に、２行３列をなす６個の上階建物ユニッ
ト２０を搭載している。尚、各上階建物ユニット２０の上には、不図示の屋根ユニットが
搭載される。
【００１３】
木質系ユニット建物１は、６個の上階建物ユニット２０のうちの１個の上階建物ユニッ
ト２０Ａの床パネル３０に吹抜け部３０Ａを形成し、下階建物ユニット１０の居室の上部
に吹抜け２０を形成する。
【００１４】
建物ユニット１０、２０は、床パネルの外縁部に壁パネルを立設して構成される。下階
建物ユニット１０の床パネルと、上階建物ユニット２０Ａを除く他の上階建物ユニット２
０の床パネルは、床枠組に面材を貼着して形成される。建物ユニット１０、２０の壁パネ
ルは、壁枠組の表裏両面に面材を貼着して形成される。
【００１５】
建物ユニット２０Ａの床パネル３０は、図２に示す如く、床枠組３１のみにて形成され
て面材を備えず、床枠組３１を構成するように互いに交差する、短辺側の枠材３１Ａ、３
１Ｂと、長辺側の枠材３１Ｃ、３１Ｄにより吹抜け部３０Ａを区画する。枠材３１Ａ、３
１Ｃは隣接する他の上階建物ユニット２０の床パネルと相並び、枠材３１Ｂ、３１Ｄは建
物外界に接する。
【００１６】
床パネル３０の床枠組３１において、枠材３１Ａ、３１Ｂは例えばエンジニアリングウ
ッドの一種であるＰＳＬ（パラレルストランドランバ）にて構成され、枠材３１Ｃは２枚
重ねして釘により接合されたランバにて構成される。
【００１７】
床パネル３０の床枠組３１において、枠材３１Ｄは耐風梁４０にて構成される。耐風梁
４０は、風圧力に対して曲げ破壊しない断面を有するものであり、枠材３１Ａ、３１Ｂよ
り厚いＰＳＬにて構成される。
【００１８】
床パネル３０の床枠組３１は、図２、図３に示す如く、建物外界に接する枠材３１Ｂ、
３１Ｄ（耐風梁４０）に関し、枠材３１Ｄ（耐風梁４０）の両端部と枠材３１Ａ、３１Ｂ
との境界部に設けられる金物５０、５０を介して、該枠材３１Ｄ（耐風梁４０）の両端部
と枠材３１Ａ、３１Ｂとがボルト接合され、かつ枠材３１Ｂと枠材３１Ｃとの隅角部に設
けられる金物５０を介して、該枠材３１Ｂと枠材３１Ｃとがボルト接合される。
【００１９】
金物４０は、図４に示す如く、直角三角形状をなし、直交する２枚の4.5mm板厚の矩形
状取付板５１、５２と、両取付板５１、５２の両外側縁に溶接される２枚の2.3mm板厚の
２等辺直角三角形状リブ板５３、５３とからなる。金物５０の取付板５１、５２は、角座
金５４Ａを頭に備えたボルト５４とナット５５により対応する枠材３１Ａ〜３１Ｄにボル
ト接合される。
【００２０】
本実施例によれば以下の作用効果を奏する。
(a)床パネル３０の吹抜け部３０Ａを区画する少なくとも１つの枠材３１Ｄとして、風
圧力に対し曲げ破壊しない断面を有する耐風梁４０を用い、この耐風梁４０を他の枠材３
１Ａ、３１Ｂと金物５０により接合することにより、上階建物ユニット２０Ａの強度、剛
性を向上し、ユニット建物１の構造強度を強化できる。
【００２１】
(b)床パネル３０の吹抜け部３０Ａを構成する少なくとも１つの枠材を耐風梁４０とす
るものであり、床パネル３０の輪郭内における耐風梁４０の占有面積は小さく、広い吹抜
け面積を確保できる。
【００２２】
(c)床パネル３０において、耐風梁４０の端部を含む他の枠材３１Ａ、３１Ｂとの隅角
部に、直角三角形状の金物５０を設けるものであり、吹抜け部３０Ａの隅角部の変形を防
止し、吹抜け２に設けられる内装材のクロス切れ等を防止できる。
【００２３】
（実施例２）（図５、図６）
図５の木質系ユニット建物１００が図１の木質系ユニット建物１と実質的に異なる点は
、３行３列をなす９個の下階建物ユニット１０の上に、３行３列をなす９個の上階建物ユ
ニット２０を搭載したことにある。
【００２４】
これにより、木質系ユニット建物１００において吹抜け２を形成する上階建物ユニット
２０Ａの床パネル３０は、床枠組３１を構成する枠材３１Ａ、３１Ｂ、３１Ｃが隣接する
他の上階建物ユニット２０の床パネルと相並び、枠材３１Ｄだけが外界に接する。
【００２５】
木質系ユニット建物１００において、床パネル３０の床枠組３１は、図６に示す如く、
枠材３１Ａ〜３１Ｄを木質系ユニット建物１におけるものと同一材とし、枠材３１Ｄを耐
風梁４０にて構成する。そして、建物外界に接する枠材３１Ｄに関し、枠材３１Ｄ（耐風
梁４０）の両端部と枠材３１Ａ、３１Ｂとの隅角部に設けられる金物５０、５０を介して
、該枠材３１Ｄ（耐風梁４０）の両端部と枠材３１Ａ、３１Ｂとがボルト接合される。枠
材３１Ｂと枠材３１Ｃとの隅角部には金物５０を必要としない。
【００２６】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００２７】
【図１】図１は実施例１の木質系ユニット建物を示すレイアウト図である。
【図２】図２は図１の吹抜けを構成する床パネルを示す平面図である。
【図３】図３は図２の床パネルの隅角部を示し、（Ａ）は平面図、（Ｂ）は側面図である。
【図４】図４は金物を示す斜視図である。
【図５】図５は実施例２の木質系ユニット建物を示すレイアウト図である。
【図６】図６は図５の吹抜けを形成する床パネルを示す平面図である。
【符号の説明】
【００２８】
１、１００  木質系ユニット建物
２  吹抜け
２０、２０Ａ  上階建物ユニット
３０  床パネル
３０Ａ  吹抜け部
３１  床枠組
３１Ａ〜３１Ｄ  枠材
４０  耐風梁
５０  金物
【図１】
2006089998.tif 000003
【図２】
2006089998.tif 000004
【図３】
2006089998.tif 000005
【図４】
2006089998.tif 000006
【図５】
2006089998.tif 000007
【図６】
2006089998.tif 000008